(57)【要約】【課題】  断熱性能の高いサッシの提供。【解決手段】  枠組みされる一方の部材１，２と他方の部材３，４を備え、一方及び他方の部材は、室外側部材１８ａ，１８ｂ及び室内側部材１９ａ，１９ｂと、室外側部材と室内側部材とを連結する内周側ブリッジ材５ａ，５ｂ及び外周側ブリッジ材６ａ，６ｂを有し、一方の部材１，２は、内周側ブリッジ材５ａと外周側ブリッジ材６ａとの間に補助部材７ａ，７ｂを有し、補助部材７ａ，７ｂは、タッピングホール８を有し、一方の部材１，２の端部を他方の部材３，４の内周側面に当接し、他方の部材３，４を貫通したねじ９を補助部材７ａ，７ｂのタッピングホール８に螺入することで、一方の部材１，２と他方の部材３，４を固定してある。【選択図】      図１
2015190304.tif 000002
【特許請求の範囲】
【請求項１】
枠組みされる一方の部材と他方の部材を備え、一方及び他方の部材は、室外側部材及び室内側部材と、室外側部材と室内側部材とを連結する内周側ブリッジ材及び外周側ブリッジ材を有し、一方の部材は、内周側ブリッジ材と外周側ブリッジ材との間に補助部材を有し、補助部材は、タッピングホールを有し、一方の部材の端部を他方の部材の内周側面に当接し、他方の部材を貫通したねじを補助部材のタッピングホールに螺入することで、一方の部材と他方の部材を固定してあることを特徴とするサッシ。
【発明の詳細な説明】
【技術分野】
【０００１】
本発明は、断熱性の向上を図ったサッシに関する。
【背景技術】
【０００２】
従来より、障子の框をアルミニウム合金製の室外側形材と室内側形材とに分割すると共に、両形材を樹脂製の断熱ブリッジ材で結合した構造の断熱サッシが知られている（例えば、特許文献１参照。）。
かかる従来の断熱サッシにおいては、断熱ブリッジ材の見込み寸法が小さいために断熱性能が不十分であり、より断熱性能の高いサッシが求められている。
【先行技術文献】
【特許文献】
【０００３】
【特許文献１】特開平８−１３５３２３号公報
【発明の概要】
【発明が解決しようとする課題】
【０００４】
本発明は以上に述べた実情に鑑み、断熱性能の高いサッシの提供を目的とする。
【課題を解決するための手段】
【０００５】
上記の課題を達成するために請求項１記載の発明によるサッシは、枠組みされる一方の部材と他方の部材を備え、一方及び他方の部材は、室外側部材及び室内側部材と、室外側部材と室内側部材とを連結する内周側ブリッジ材及び外周側ブリッジ材を有し、一方の部材は、内周側ブリッジ材と外周側ブリッジ材との間に補助部材を有し、補助部材は、タッピングホールを有し、一方の部材の端部を他方の部材の内周側面に当接し、他方の部材を貫通したねじを補助部材のタッピングホールに螺入することで、一方の部材と他方の部材を固定してあることを特徴とする。
【発明の効果】
【０００６】
請求項１記載の発明によるサッシは、一方の部材の内周側ブリッジ材と外周側ブリッジ材との間に、タッピングホールを有する補助部材を設け、一方の部材の端部を他方の部材の内周側面に当接し、他方の部材を貫通したねじを補助部材のタッピングホールに螺入することで、一方の部材と他方の部材を固定したので、一方及び他方の部材の室外側部材と室内側部材にタッピングホールを設ける必要がないため、内周側ブリッジ材と外周側ブリッジ材の見込み寸法を大きくすることができ、これによりサッシの断熱性能が向上する。
【図面の簡単な説明】
【０００７】
【図１】本発明に係るサッシの一実施形態を示す縦断面図である。
【図２】同サッシの横断面図である。
【図３】同サッシの室内側正面図である。
【図４】（ａ）は同サッシの内障子の戸先框と下框との接合部を一部切欠きして示す室内側正面図であり、（ｂ）は同接合部の底面図、（ｃ）はＡ−Ａ断面図である。
【図５】同サッシの枠の横断面図である。
【図６】枠の他の実施形態を示す横断面図である。
【図７】本発明のサッシの他の実施形態であって、（ａ）はたてすべり出し窓用の障子の竪框と下框との接合部を一部切欠きして示す室内側正面図であり、（ｂ）はＢ−Ｂ断面図である。
【図８】本発明のサッシの他の実施形態であって、（ａ）は開き窓用の障子の竪框と下框との接合部を一部切欠きして示す室内側正面図であり、（ｂ）はＣ−Ｃ断面図である。
【発明を実施するための形態】
【０００８】
以下、本発明の実施の形態を図面に基づいて説明する。図１〜５は、本発明に係るサッシの一実施形態であって、住宅用又はビル用の引違いサッシの場合を示している。本サッシは、図１〜３に示すように、躯体１０の開口部に設置される枠１１と、枠１１内に引違い状に開閉自在に収めた外障子１２ａ及び内障子１２ｂを備えている。
枠１１は、上枠１３と下枠１４と左右の竪枠１５，１６とを方形に枠組みして構成してある。外障子１２ａと内障子１２ｂは、上框１と下框２と戸先框３と召合せ框４とを方形に枠組みし、その枠内にガラス（複層ガラス）４８を納めて構成してある。外障子１２ａと内障子１２ｂとは、クレセント１７により施錠される。
【０００９】
上框１と下框２は、図１に示すように、アルミニウム合金の押出形材よりなる室外側部材１８ａ及び室内側部材１９ａと、室外側部材１８ａと室内側部材１９ａとを連結する樹脂製の内周側ブリッジ材５ａ及び外周側ブリッジ材６ａとを有している。室外側部材１８ａは、内周側ブリッジ材５ａ及び外周側ブリッジ材６ａの室外側端部の膨らみ部２０を保持するかしめ溝２１を、見付壁２２の室内側面に有している。室内側部材１９ａは、内周側ブリッジ材５ａ及び外周側ブリッジ材６ａの室内側端部の膨らみ部２０を保持するかしめ溝２１を、見付壁２２の室外側面に有している。室外側部材１８ａと室内側部材１９ａは、タッピングホールを有さず、見込み寸法の小さいほぼ板状の部材となっており、その分、内周側ブリッジ材５ａと外周側ブリッジ材６ａの見込み寸法が大きくなっている。具体的には、内周側ブリッジ材５ａと外周側ブリッジ材６ａの見込み寸法は、３０ｍｍとなっている。室外側部材１８ａと室内側部材１９ａの外周側端部の内面側には気密材ホルダー２３が設けてある。
【００１０】
戸先框３と召合せ框４は、図２に示すように、アルミニウム合金の押出形材よりなる室外側部材１８ｂ及び室内側部材１９ｂと、室外側部材１８ｂと室内側部材１９ｂとを連結する樹脂製の内周側ブリッジ材５ｂ及び外周側ブリッジ材６ｂとを有している。召合せ框４は、さらに室外側部材１８ｂと室内側部材１９ｂの外周側縁部に跨って、外周側カバー材２４を有する。また内外障子１２ａ，１２ｂの召合せ框４は、対向する面に気密材２５と煙返し２６を有している。
戸先框３と召合せ框４の室外側部材１８ｂと室内側部材１９ｂは、上下框１，２のものと同様に、タッピングホールを有さず、見込み寸法の小さいほぼ板状の部材となっており、その分、内周側ブリッジ材５ｂと外周側ブリッジ材６ｂの見込み寸法が大きくなっている。
【００１１】
上框１と下框２の左右両端部には、図１，４に示すように、内周側ブリッジ材５ａと外周側ブリッジ材６ａとの間に補助部材７ａ，７ｂが設けてある。補助部材７ａ，７ｂは、アルミニウム合金の押出形材よりなる略矩形の中空断面の部材であり、内周側の壁の内面側と外周側の壁の内面側とにタッピングホール８を有している。補助部材７ａ，７ｂは、内周側ブリッジ材５ａと外周側ブリッジ材６ａとに当接しており、ねじ２７で内周側ブリッジ材５ａ（又は外周側ブリッジ材６ａ）に固定してある。
【００１２】
下框２の補助部材７ｂには、図４に示すように、戸車２８が取付けてある。戸車２８は、ケース２９内に車輪３０が高さ調整可能に保持してあり、ケース２９の上面は補助部材７ｂの内周側の壁の下面、詳細にはタッピングホール８の下端に当接している。補助部材７ｂの外周側の壁と外周側ブリッジ材６ａには、戸車２８を逃がすための孔６０が設けてある。戸車２８のケース２９は、外周側ブリッジ材６ａを介してねじ３１で補助部材７ｂにねじ止めしてある。
下框２の内周側ブリッジ材５ａの内周側面（上面）には、戸車２８の上方位置にガラス４８を受けるセッティングブロック３２が設けてある。内周側ブリッジ材５ａの外周側面（下面）には、補助部材７ｂが当接しているため、ガラス４８の荷重は補助部材７ｂに効率良く伝達される。さらに、補助部材７ｂの内周側の壁に戸車２８が当接しているため、ガラス４８の荷重は補助部材７ｂから戸車２８に効率良く伝達される。
【００１３】
上下框１，２と戸先框３及び召合せ框４とは、図４に示すように、上下框１，２の端面を戸先框３及び召合せ框４の内周側面に当接し、戸先框３及び召合せ框４に外周側から貫通させたねじ９を補助部材７ａ，７ｂのタッピングホール８に螺入することで、接合固定してある。図中の符号５９は、ねじ９の頭を受ける金属製の補強板である。
【００１４】
以上に述べたように本サッシの障子１２ａ，１２ｂは、各框１，２，３，４がアルミ形材よりなる室外側部材１８ａ，１８ｂと室内側部材１９ａ，１９ｂとを内周側ブリッジ材５ａ，５ｂと外周側ブリッジ材６ａ，６ｂで連結して構成され、上下框１，２の内周側ブリッジ材５ａと外周側ブリッジ材６ａとの間にタッピングホール８を有する補助部材７ａ，７ｂを配置し、上下框１，２の端部を戸先框３及び召合せ框４の内周側面に当接し、戸先框３及び召合せ框４を貫通したねじ９を補助部材７ａ，７ｂのタッピングホール８に螺入することでを固定したので、各框１，２，３，４の室外側部材１８ａ，１８ｂと室内側部材１９ａ，１９ｂにタッピングホールを設ける必要がないため、内周側ブリッジ材５ａ，５ｂと外周側ブリッジ材６ａ，６ｂの見込み寸法を大きくすることができ、これによりサッシの断熱性能が向上する。
補助部材７ａ，７ｂを内周側ブリッジ材５ａに当接して設けることで、荷重を補助部材７ａ，７ｂで効率良く負担することができる。さらに、補助部材７ｂに戸車２８を取付け、戸車２８の上面を補助部材７ｂに当接させることで、荷重を効率良く戸車２８に伝達できる。
【００１５】
上枠１３は、図１に示すように、アルミニウム合金の押出形材よりなる室外側部材１３ａと中間部材１３ｂと室内側部材１３ｃの３つの形材に分割し、室外側部材１３ａと中間部材１３ｂ、中間部材１３ｂと室内側部材１３ｃとを、樹脂製の内周側ブリッジ材３３ａ，３３ｂ及び外周側ブリッジ材３４ａ，３４ｂで連結して構成してある。室外側部材１３ａと中間部材１３ｂとを繋ぐブリッジ材３３ａ，３４ａは、外障子１２ａの上框１のブリッジ材５ａ，６ａと対向する位置にあり、中間部材１３ｂと室内側部材１３ｃとを繋ぐブリッジ材３３ｂ，３４ｂは、内障子１２ｂの上框１のブリッジ材５ａ，６ａと対向する位置にある。室外側部材１３ａと中間部材１３ｂと室内側部材１３ｃは、それぞれ中空部３５とタッピングホール３６を有している。
室外側部材１３ａは、内周側面の見込み方向中間位置に外障子１２ａ用の上レール３７ａが垂下して設けてあり、中間部材１３ｂは、内周側面の室内側端部位置に内障子１２ｂ用の上レール３７ｂが垂下して設けてある。室外側の上レール３７ａと室内側の上レール３７ｂとの間の上枠内周側面には、樹脂製のカバー材３８ａが設けてある。このカバー材３８ａは、室外側の上レール３７ａの室内側に沿うように配置された中空部３９ａを有しており、中空部３９ａは外障子１２ａの上框１のブリッジ材５ａ，６ａと対向している。室外側の上レール３７ａと中空部３９ａは、外障子１２ａの上框１の室外側部材１８ａと室内側部材１９ａ間に呑み込ませてあり、室外側部材１８ａと室内側部材１９ａの外周側端部に取付けた気密材４０が上レール３７ａの室外側と中空部３９ａの室内側に当接している。
内障子１２ｂ用の上レール３７ｂの室内側の上枠１３内周側面にも樹脂製のカバー材３８ｂが取付けてあり、このカバー材３８ｂは上レール３７ｂの室内側に沿うように配置された中空部３９ｂを有しており、中空部３９ｂは内障子１２ｂの上框１のブリッジ材５ａ，６ａと対向している。室内側の上レール３７ｂと中空部３９ｂは、内障子１２ｂの上框１の室外側部材１８ａと室内側部材１９ａ間に呑み込ませてあり、室外側部材１８ａの外周側端部に取付けた気密材４０が、上レール３７ｂの室外側に当接している。
室内側部材１３ｃは、室内側端部に垂下片４１を有し、垂下片４１の下端部に気密材４２が取付けてあり、気密材４２は内障子１２ｂの室内側部材１９ａの室内側に当接している。
【００１６】
上述のように、上枠１３は見込み方向の２箇所にブリッジ材３３ａ，３３ｂ，３４ａ，３４ｂを設けたので、上枠１３を伝って室外の冷気が室内側に伝わるのを確実に防ぐことができる。また、上枠１３と上框１間に広い空間があると、その空間内の空気を伝って室外の冷気が室内側に伝わるが、本サッシでは上レール３７ａ，３７ｂの室内側に樹脂製のカバー材３８ａ，３８ｂの中空部３９ａ，３９ｂを隣接して設けたことで、当該中空部３９ａ，３９ｂにより上枠１３と上框１間の空間が細かく仕切られるために、そうした対流による熱移動も抑えられ、優れた断熱性能を発揮する。
障子１２ａ，１２ｂは、上けんどん式に上下枠１３，１４間に建て込まれるが、本サッシは気密材４０，４２を上框１の見付面と上枠１３の見付面間に設けたので、障子１２ａ，１２ｂを建て込む際に気密材４０，４２が大きく潰れることがない。
【００１７】
下枠１４は、上枠１３と同様に、アルミニウム合金の押出形材よりなる室外側部材１４ａと中間部材１４ｂと室内側部材１４ｃの３つの形材に分割し、室外側部材１４ａと中間部材１４ｂ、中間部材１４ｂと室内側部材１４ｃとを、樹脂製の内周側ブリッジ材３３ａ，３３ｂ及び外周側ブリッジ材３４ａ，３４ｂで連結して構成してある。室外側部材１４ａと中間部材１４ｂとを繋ぐブリッジ材３３ａ，３４ａは、外障子１２ａの下框２のブリッジ材５ａ，６ａと対向する位置にあり、中間部材１４ｂと室内側部材１４ｃとを繋ぐブリッジ材３３ｂ，３４ｂは、内障子１２ｂの下框２のブリッジ材５ａ，６ａと対向する位置にある。室外側部材１４ａと中間部材１４ｂと室内側部材１４ｃは、それぞれ中空部３５とタッピングホール３６を有している。
室外側部材１４ａは、室内側の端部に外障子１２ａを案内する下レール４３が突出して形成してあり、下レール４３の室内側に隣接してブリッジ材３３ａ，３４ａが配置されている。
中間部材１４ｂは、室内側の端部にレール取付片４４が上方に突出して形成され、そのレール取付片４４に係止させて中間部材１４ｂと室内側部材１４ｃとに跨って内障子１２ｂを案内する樹脂製の下レール材４５が取付けてある。下レール材４５は、戸車２８の走行する部分にアルミ形材製のレール４６が埋め込んである。下框２と下枠１４との間の隙間には、気密材４７が設けてある。
【００１８】
外障子１２ａの戸先側に位置する室内側から見て左側の竪枠１５は、図２に示すように、アルミニウム合金の押出形材よりなる室外側部材１５ａと室内側部材１５ｂの２つの形材に分割し、室外側部材１５ａと室内側部材１５ｂとを樹脂製の内周側ブリッジ材４８ａ及び外周側ブリッジ材４９ａで連結して構成してある。ブリッジ材４８ａ，４９ａは、室外側寄りの位置にあって、外障子１２ａの戸先框３のブリッジ材５ｂ，６ｂと対向している。
内障子１２ｂの戸先側に位置する室内側から見て右側の竪枠１６は、図２に示すように、アルミニウム合金の押出形材よりなる室外側部材１６ａと室内側部材１６ｂの２つの形材に分割し、室外側部材１６ａと室内側部材１６ｂとを樹脂製の内周側ブリッジ材４８ｂ及び外周側ブリッジ材４９ｂで連結して構成してある。ブリッジ材４８ｂ，４９ｂは、室内側寄りの位置にあって、内障子１２ｂの戸先框３のブリッジ材５ｂ，６ｂと対向している。
室内側から見て左側の竪枠１５のブリッジ材４８ａ，４９ａは、図５に示すように、上下枠１３，１４の室外側のブリッジ材３３ａ，３４ａと連続しており、室内側から見て右側の竪枠１６のブリッジ材４８ｂ，４９ｂは、上下枠１３，１４の室内側のブリッジ材３３ｂ，３４ｂと連続している。
竪枠１５，１６のブリッジ材４８ａ，４８ｂ，４９ａ，４９ｂは、上下枠１３，１４のブリッジ材３３ａ，３３ｂ，３４ａ，３４ｂとほぼ同じ見込み寸法になっている。
【００１９】
上下枠１３，１４と竪枠１５，１６とは、図５に示すように、上下枠１３，１４の端面を竪枠１５，１６の内周側面に当接し、竪枠１５，１６を貫通させたねじ５０を、上下枠１３，１４の室外側部材１３ａ，１４ａ、中間部材１３ｂ，１４ｂ及び室内側部材１３ｃ，１４ｃの各タッピングホール３６に螺入することで、枠組みしている。上下枠１３，１４の端面と竪枠１５，１６の内周側面との間には、図示しないゴム質の薄板状のパッキンが介在させてある。
【００２０】
以上に述べたように本サッシは、上下枠１３，１４が見込み方向の２箇所にブリッジ材３３ａ，３３ｂ，３４ａ，３４ｂを有し、室内側から見て左側の竪枠１５は室外側寄りの１箇所にブリッジ材４８ａ，４９ａを有し、室内側から見て右側の竪枠１６は室内側寄りの１箇所にブリッジ材４８ｂ，４９ｂを有し、上下枠１３，１４の室外側のブリッジ材３３ａ，３４ａと室内側から見て左側の竪枠１５のブリッジ材４８ａ，４９ａとが連続し、上下枠１３，１４の室内側のブリッジ材３３ｂ，３４ｂと室内側から見て右側の竪枠１６のブリッジ材４８ｂ，４９ｂとが連続しており、各枠１３，１４，１５，１６のブリッジ材３３ａ，３３ｂ，３４ａ，３４ｂ，４８ａ，４８ｂ，４９ａ，４９ｂと障子１２ａ，１２ｂの框１，２，３，４のブリッジ材５ａ，５ｂ，６ａ，６ｂとが対向していることで、枠１１と障子１２ａ，１２ｂとで断熱ラインが見込み方向に２重に形成されるため、障子１２ａ，１２ｂの各框１，２，３，４のブリッジ材５ａ，５ｂ，６ａ，６ｂの見込み寸法を大きくしたことと相まって、サッシの断熱性能を大きく向上させられる。
枠１１は、上下枠１３，１４の端面を竪枠１５，１６の内周側面にパッキンを介して突き当て、竪枠１５，１６を貫通させたねじ５０を上下枠１３，１４の室外側部材１３ａ，１４ａ、中間部材１３ｂ，１４ｂ及び室内側部材１３ｃ，１４ｃの各タッピングホール３６に螺入することで、通常の枠と同様に枠組みすることができる。
竪枠１５，１６は、障子１２ａ，１２ｂのブリッジ材５ｂ，６ｂと対向する１箇所にブリッジ材４８ａ，４８ｂ，４９ａ，４９ｂを設けることで、ブリッジ材を見込み方向に２箇所配置した場合と比べても断熱性能に遜色がない上、コストダウンと強度向上が図れる。すなわち、上下枠１３，１４と同じように竪枠１５，１６にもブリッジ材を見込み方向に２箇所配置すると、上下枠１３，１４の室外側部材１３ａ，１４ａ、中間部材１３ｂ，１４ｂ及び室内側部材１３ｃ，１４ｃが、ブリッジ材のみで連結されることになるが、本サッシの場合は、図５に示すように、上下枠１３，１４の室外側部材１３ａ，１４ａと中間部材１３ｂ，１４ｂとが室内側から見て右側の竪枠１６の室外側部材１６ａで連結され、上下枠１３，１４の中間部材１３ｂ，１４ｂと室内側部材１３ｃ，１４ｃとが室内側から見て左側の竪枠１５の室内側部材１５ｂで連結されているから、枠１１の強度を保つことができ、障子１２ａ，１２ｂの重みで下枠１４の室外側が垂れ下がったりするのを防ぐことができる。
図１に示すように、上下枠１３，１４を、障子１２ａ，１２ｂを案内するレール３７ａ，３７ｂ，４３の室内側で分割することで、気密や水密、障子１２ａ，１２ｂの走行に特別の配慮をすることなく、二重断熱にできる。また、下レール４３の室内側に隣接してブリッジ材３３ａ，３４ａが配置してあることで、下レール４３によってブリッジ材３３ａ，３４ａに日射が当たり難くなるので、ブリッジ材３３ａ，３４ａの耐候性が向上する。
【００２１】
図６は、枠１１の他の実施形態を示している。本実施形態では、左右の竪枠１５，１６のブリッジ材４８ａ，４８ｂ，４９ａ，４９ｂを、上下枠１３，１４のブリッジ材３３ａ，３３ｂ，３４ａ，３４ｂよりも見込み寸法を大きく（約２倍）している。このように、竪枠１５，１６のブリッジ材４８ａ，４８ｂ，４９ａ，４９ｂの見込み寸法を大きくすることで、見込み寸法の小さいブリッジ材を室外側と室内側の２箇所に設けるよりも、断熱性能が向上する。
【００２２】
図７は、本発明のサッシの他の実施形態であって、たてすべり出し窓の場合を示している。この場合に障子１２は、上框１と下框２がフリクションステー５１により図示しない上枠と下枠にそれぞれ連結される。障子１２は、引違いサッシの場合と同様に、上框１と下框２の両端部に、内周側ブリッジ材５ａと外周側ブリッジ材６ａの間に補助部材５２を設け、竪框５３を貫通させたねじ９を補助部材５２のタッピングホール８に螺入することで、上下框１，２と竪框５３とを枠組みしている。補助部材５２は、外周側の壁の内面側に裏板保持溝５４を有し、裏板保持溝５４に保持して裏板５５を取付けてある。補助部材５３は、内周側ブリッジ材５ａと外周側ブリッジ材６ａとに当接しており、フリクションステー５１は外周側ブリッジ材６ａを介してねじ５６で補助部材５２にねじ止めして取付けてある。よって、障子１２の荷重がフリクションステー５１に効率良く伝えられる。
【００２３】
図８は、本発明のサッシの他の実施形態であって、開き窓の場合を示している。この場合に障子１２は、一方の竪框５３が蝶番５７で図示しない竪枠に連結される。障子１２は、上下框１，２の両端部に内周側ブリッジ材５ａと外周側ブリッジ材６ａに当接して補助部材５２を配置すると共に、竪框５３の内周側ブリッジ材５ｂと外周側ブリッジ材６ｂの間にも補助部材５８を設けている。補助部材５８は、内周側ブリッジ材５ｂと外周側ブリッジ材６ｂとに当接しており、蝶番５７は外周側ブリッジ材６ｂを介してねじ５６で補助部材５８にねじ止めして取付けてある。よって、障子１２の荷重が蝶番５７に効率良く伝えられる。さらに、竪框５３の補助部材５８が上下框１，２の補助部材５２とねじ９で固定されるため、障子１２のコーナー部の強度を高められる。
【００２４】
以上に述べたように、補助部材５２，５８を内周側ブリッジ材５ａ，５ｂと外周側ブリッジ材６ａ，６ｂに当接して設け、補助部材５２，５８に外周側ブリッジ材６ａ，６ｂを介してフリクションステー５１、蝶番５７等の機能部品をねじ止めすることで、障子１２の荷重を機能部品に効率良く伝えることができ、障子１２を枠に安定して取付けできる。
【００２５】
本発明は以上に述べた実施形態に限定されない。実施形態は、枠組みされる一方の部材と他方の部材が障子の框であったが、サッシやカーテンウォールの枠等に適用することもできる。縦横の部材を枠組みするにあたり、縦の部材に補助部材を設け、縦の部材の端部を横の部材の内周側面に当接し、横の部材を貫通したねじを補助部材のタッピングホールに螺入して、縦横の部材を固定することもできる。室外側部材、室内側部材、ブリッジ材、補助部材の断面形状は、適宜変更することができる。窓の種類は任意であり、例えば嵌め殺し窓等にも適用できる。
【符号の説明】
【００２６】
１  上框（一方の部材）
２  下框（一方の部材）
３  戸先框（他方の部材）
４  召合せ框（他方の部材）
５ａ，５ｂ  内周側ブリッジ材
６ａ，６ｂ  外周側ブリッジ材
７ａ，７ｂ  補助部材
８  タッピングホール
９  ねじ
１８ａ，１８ｂ  室外側部材
１９ａ，１９ｂ  室内側部材
【図１】
2015190304.tif 000003
【図２】
2015190304.tif 000004
【図３】
2015190304.tif 000005
【図４】
2015190304.tif 000006
【図５】
2015190304.tif 000007
【図６】
2015190304.tif 000008
【図７】
2015190304.tif 000009
【図８】
2015190304.tif 000010